(57)【要約】【課題】室内の天井からファンによって風を送り出す送風装置において、部屋全体への送風効率を上げる事を目的とする。【解決手段】天井面に吊り下げるように取り付けられる固定カバー２と、固定カバー２に取り付けられる取付カバー３と、取付カバー３に固定され回転軸が下方に延びたモータ部４と、回転軸に着脱自在な羽根部５と、取付カバー３に吊り下げられた円環形状の照明部６とを備えている。照明部６は、羽根部５の側方を囲むように配置され、モータ部４が第１の方向に回転すると羽根部５は上方へ送風し、取付カバー３は、円板形状で中央部が下方に突出した取付板部分１０を有し、取付板部分１０の中心軸は、照明部６の中心軸と同軸上に配置され、取付板部分１０の直径は羽根部５の直径よりも大きいので、取付板部分１０に沿ってなめらかに風が進み、効率よく部屋全体へと送風できる。【選択図】図２
2020159330.tif 000002
【特許請求の範囲】
【請求項１】
天井面に吊り下げるように取り付けられる固定カバーと、
前記固定カバーに取り付けられる取付カバーと、
前記取付カバーに固定され回転軸が下方に延びたモータ部と、
前記回転軸に着脱自在な羽根部と、
前記取付カバーに吊り下げられた円環形状の照明部とを備え、
前記照明部は、前記羽根部の側方を囲むように配置され、
前記モータ部が回転すると前記羽根部は上方へ送風し、
前記取付カバーは、円板形状で中央部が下方に突出した取付板部分を有し、
前記取付板部分の中心軸は、前記照明部の中心軸と同軸上に配置され、
前記取付板部の直径は前記羽根部の直径よりも大きいことを特徴とする送風装置。
【請求項２】
前記取付板部分は、中央部が下方に突出した円錐形状であることを特徴とする請求項１に記載の送風装置。
【請求項３】
前記照明部は、
前記取付カバーに吊り下げられた照明支持部分と、
前記照明支持部分の下面に固定され発光部分とを有し、
前記照明支持部分の上面には、円環板形状であり、中央から外側に向かうにつれて上方へ傾斜する円環傾斜面を有することを特徴とする請求項１または２に記載の送風装置。
【請求項４】
前記取付板部分と前記円環傾斜面との距離は、中央から外側に向かうにつれて短くなることを特徴とする請求項３に記載の送風装置。
【発明の詳細な説明】
【技術分野】
【０００１】
本発明は、室内の天井面に設置して空気循環を行う送風装置に関するものである。
【背景技術】
【０００２】
従来、この種の送風装置は、室内の天井面に設置して空気の循環を行い使用者に快適さを提供し、なおかつ室内を照明するものが知られている（例えば、特許文献１参照）。
【０００３】
この送風装置は、モータとモータを保持するベースと装着フレームを備えて、装着フレームにベースを取り付け、モータにつけられた羽根を回転させることにより室内に風を供給している。また、照明部は連結部材によってベースと連結され、天井からの電源供給によって照明を行っている。
【先行技術文献】
【特許文献】
【０００４】
【特許文献１】実用新案登録第３２１４０３１号公報
【発明の概要】
【発明が解決しようとする課題】
【０００５】
このような従来の送風装置においては、装着フレームが照明部の内径より小さい構成となっていたのでファンを第１の方向に回転（羽根部を下方から見て反時計回りに回転）させ、空気が羽根部の下方から上方へ流れる際に吸い込んだ風が天井に垂直に当たり、部屋の広範囲に風を上手く拡散できないという課題を有していた。
【０００６】
そこで本発明は、上記従来の課題を解決するものであり、部屋全体への送風効率を上げる送風装置を提供することを目的とする。
【課題を解決するための手段】
【０００７】
そして、この目的を達成するために、本発明に係る送風装置は、天井面に吊り下げるように取り付けられる固定カバーと、前記固定カバーに取り付けられる取付カバーと、前記取付カバーに固定され回転軸が下方に延びたモータ部と、前記回転軸に着脱自在な羽根部と、前記取付カバーに吊り下げられた円環形状の照明部とを備え、前記照明部は、前記羽根部の側方を囲むように配置され、前記モータ部が回転すると前記羽根部は上方へ送風し、前記取付カバーは、中央部が下方に突出した円錐形状の取付板部分を有し、前記取付板部分の中心軸は、前記照明部の中心軸と同軸上に配置され、前記取付板部の直径は前記羽根部の直径よりも大きい、ことを特徴としたものであり、これにより所期の目的を達成するものである。
【発明の効果】
【０００８】
本発明によれば、部屋全体への送風効率を上げられる。
【図面の簡単な説明】
【０００９】
【図１】本発明の実施の形態１の送風装置の正面図
【図２】同送風装置の斜視図
【図３】同送風装置の分解斜視図
【図４】同送風装置の分解斜視図
【図５】同送風装置の仮止め部の拡大図
【図６】同送風装置の取付部の拡大図
【発明を実施するための形態】
【００１０】
以下、本発明の実施の形態について図面を参照しながら説明する。
【００１１】
（実施の形態１）
図１は、本発明の実施の形態１の送風装置の正面図である。図２は、本発明の実施の形態１の送風装置の斜視図である。図３は、本発明の実施の形態１の送風装置の分解斜視図であり、下方から見た図である。図４は、本発明の実施の形態１の送風装置の分解斜視図であり、上方から見た図である。
【００１２】
図１から図４に示すように、送風装置１は、固定カバー２と、取付カバー３と、モータ部４と、羽根部５と、照明部６とを備えている。
【００１３】
固定カバー２は、室内側の天井面１８から室内側に突出した照明用の配線器具に固定可能な構成である。固定カバー２は、下方に開口した略薄皿形状であり、円板形状である固定板部分７と、固定板部分７の周縁から下方に延びる円筒形状の固定フランジ部分８とを有している。
【００１４】
固定板部分７は、中央には略円形状の配線開口９ａを有し、配線開口９ａの周囲には複数の丸孔９ｂを有している。配線開口９ａは、配線器具と、モータ部４および照明部６とを電気的に接続する電気配線が通る通路である。複数の丸孔９ｂは、固定板部分７において配線器具の複数のねじ孔に対向する位置に配置されている。固定カバー２は、固定板部分７の複数の丸孔９ｂを介して配線器具の複数のねじ孔にねじ止めされる複数のねじによって、配線器具に固定される。
【００１５】
固定フランジ部分８は、後述する取付カバー３の取付フランジ部分１１より一回り内径が小さい円筒形状である。固定カバー２に取付カバー３を装着すると、固定カバー２の固定フランジ部分８は、取付カバー３の取付フランジ部分１１の内面に嵌る構成である。
【００１６】
取付カバー３は、固定カバー２に固定可能な構成である。取付カバー３は、上方に開口した略薄皿形状であり、円錐形状である取付板部分１０と、取付板部分１０の周縁から上方に延びる円筒形状の取付フランジ部分１１とを有している。
【００１７】
取付板部分１０は、円筒形状の取付フランジ部分１１の下端から、下を凸とした円錐形状を有している。円錐形状である取付板部分１０の中央部には、円形の孔１０ａを有している。円錐形状である取付板部分１０の側面と、水平面とが成す角度は、１５度から２５度（図に記載の送風装置は２０度）である。取付板部分１０の下部には、モータ部４を備えている。
【００１８】
取付フランジ部分１１は、固定カバー２の固定フランジ部分８より一回り内径が大きい円筒形状である。固定カバー２に取付カバー３を装着すると、取付カバー３の取付フランジ部分１１は、固定カバー２の固定フランジ部分８の外面に嵌る構成である。固定カバー２の固定フランジ部分８と、取付カバー３の取付フランジ部分１１には、取付カバー３を固定カバー２に仮り止めする仮止め部１２と、取付カバー３を固定カバー２に固定する取付部１３を有している。
【００１９】
図５は、本発明の実施の形態１の送風装置の仮止め部１２の拡大図である。図５に示すように、仮止め部１２の一例は、取付フランジ部分１１に設けたＬ字形状のスリット１２ａと、固定フランジ部分８に設けたねじ孔１２ｂと、スリット１２ａを介してねじ孔１２ｂにねじ止め可能なねじ１２ｃである。取付カバー３を固定カバー２に固定する場合には、まず、ねじ１２ｃを固定フランジ部分８に設けたねじ孔１２ｂに仮止めし、次に、仮止めされたねじ１２ｃを取付フランジ部分１１に設けたスリット１２ａに通し、取付カバー３を上方へ移動させ、ねじ１２ｃが突き当たった後にスリット１２ａの最奥まで取付カバー３を回すことで固定カバー２と取付カバー３を仮止めする。
【００２０】
図６は、本発明の実施の形態１の送風装置の取付部１３の拡大図である。図６に示すように、取付部１３の一例は、取付フランジ部分１１に設けた孔１３ａと、固定フランジ部分８に設けたねじ孔１３ｂと、孔１３ａを介してねじ孔１３ｂにねじ止め可能なねじ１３ｃである。取付カバー３を固定カバー２に固定する場合には、取付カバー３の取付フランジ部分１１を固定カバー２の固定フランジ部分８の外面に嵌めこみ、仮止め部１２によって、仮止めした後に、ねじ１３ｃを取付フランジ部分１１の孔１３ａを介して、固定フランジ部分８のねじ孔１３ｂにねじ止めする。
【００２１】
図１から図４に示すように、取付板部分１０は、中央には略円形状のモータ開口（図示せず）を有している。モータ部４は、取付板部分１０の上面に固定されている。固定カバー２に取付カバー３を装着すると、モータ部４は、固定カバー２と取付カバー３の間に配置される。モータ部４は、モータ部４の底面から下方に延びた回転軸１４を有している。モータ部４の回転軸１４は、モータ開口（図示せず）を介して、取付板部分１０の下方に延びている。
【００２２】
羽根部５は、モータ部４の回転軸１４に着脱自在な構成である。羽根部５の一例は、軸流ファンであり、モータ部４によって羽根部５を第１の方向に回転（羽根部を下方から見て反時計回りに回転）すると、空気が羽根部５の下方から上方へ流れる。
【００２３】
照明部６は、円環形状であり、光を照射する構成である。照明部６は、取付カバー３から下方に延びた複数の連結部材１５によって、取付カバー３に吊り下げられている。照明部６は、羽根部５の側方を囲むように配置されている。なお、照明部６の中心軸と、羽根部５の回転軸１４と、取付カバー３の中心軸とは、同軸上に配置されている。
【００２４】
照明部６は、照明支持部分１６と、発光部分（図示せず）と、照明カバー１７とを有する。照明支持部分１６は、円環状の板形状であり、照明支持部分１６の上面には、複数の連結部材１５の下端部が固定され、照明支持部分１６の下面には、発光部分（図示せず）が固定されている。発光部分（図示せず）は、複数の基板（図示せず）と、基板に装着された複数の発光ダイオード（図示せず）を有している。基板が、照明支持部分１６の下面に固定されている。照明カバー１７は、円環状で、発光部分（図示せず）を覆い、照明支持部分１６に固定されている。照明カバー１７は、光に対して透光性および反射性を有する材質である。これにより、発光部分（図示せず）である複数の発光ダイオードから照射された光の一部は、照明カバー１７内で反射を繰り返しながら、その一部の光は、照明カバー１７を介して室内へ照射される。
【００２５】
以上の構成において、モータ部４によって羽根部５を第１の方向に回転（羽根部５を下方から見て反時計回りに回転）させると、室内の空気が羽根部５の下方から、照明部６内を通り上方へ流れ、照明部６と取付カバー３との間から、室内上部に送風される。
【００２６】
本実施形態の特徴は、取付板部分１０は、羽根部５の直径よりも大きい円板形状であり、中央部が下方に突出した点である。これにより、羽根部５から送風される空気が、取付板部分１０に当たる際、取付板部分１０に垂直に当たるのではなく、取付板部分１０に対して斜めに当たり、取付板部分１０に沿ってなめらかに進み易くなる。
【００２７】
具体的には、取付板部分１０は、下に凸の円錐形状であり。中央部から外側に向かうにつれて上方へ傾斜する傾斜面である取付板部斜面１０ｂを有する。これにより、羽根部５から送風される空気が、取付板部分１０に当たる際、取付板部斜面１０ｂに垂直に当たるのではなく、取付板部斜面１０ｂに対して斜めに当たり、取付板部斜面１０ｂに沿ってなめらかに進み易くなる。結果として、部屋全体に送風が広がり易くなる。
【００２８】
また、照明支持部分１６の上面には、円環板形状であり、中央から外側に向かうにつれて上方へ傾斜する円環傾斜面１６ａを有する。これにより、取付板部分１０で反射した風を逃がす事なく、斜面に沿って進んでいくので、部屋全体に送風が広がり易くなる。
【００２９】
また、取付板部斜面１０ｂと円環傾斜面１６ａとの距離は、中央から外側に向かうにつれて短くなる。円環傾斜面１６ａは、取付板部斜面１０ｂの下方に配置されている。これにより、送風器装置から送風される際の送風口の隙間が狭くなり、その隙間を通って送風される風速が、羽根部５から送風される時の風速よりも上がる。結果として、部屋全体に送風が広がり易くなる。なお、水平面から取付板部斜面１０ｂが斜め上方へ傾斜する角度は、水平面から円環傾斜面１６ａが斜め上方へ傾斜する角度より小さい。
【産業上の利用可能性】
【００３０】
本発明は、室内の天井面に設置して空気循環を行う送風装置として適している。
【符号の説明】
【００３１】
１    送風装置
２    固定カバー
３    取付カバー
４    モータ部
５    羽根部
６    照明部
７    固定板部分
８    固定フランジ部分
９ａ    配線開口
９ｂ    丸孔
１０    取付板部分
１０ａ    孔
１０ｂ    取付板部斜面
１１    取付フランジ部分
１２    仮止め部
１２ａ    スリット
１２ｂ    ねじ孔
１２ｃ    ねじ
１３    取付部
１３ａ    孔
１３ｂ    ねじ孔
１３ｃ    ねじ
１４    回転軸
１５    連結部材
１６    照明支持部分
１６ａ    円環傾斜面
１７    照明カバー
１８    天井面
【図１】
2020159330.tif 000003
【図２】
2020159330.tif 000004
【図３】
2020159330.tif 000005
【図４】
2020159330.tif 000006
【図５】
2020159330.tif 000007
【図６】
2020159330.tif 000008